Podtech/llm-jp-corpus-v4-ja_patent huggingface dataset:
【手続補正書】
【提出日】平成19年10月30日(2007.10.30)
【手続補正１】
【補正対象書類名】明細書
【補正対象項目名】発明の名称
【補正方法】変更
【補正の内容】
【発明の名称】Ｗｅｂサイトの利用者の認証手続きと個人情報の管理をＡＳＰ装置により代行するシステム及び方法、ＡＳＰ装置
【手続補正２】
【補正対象書類名】明細書
【補正対象項目名】特許請求の範囲
【補正方法】変更
【補正の内容】
【特許請求の範囲】
【請求項１】  委託を受けたＷｅｂサイトの利用者の認証手続きと利用者の個人情報の管理を行うＡＳＰ装置と、利用者の認証手続きを前記ＡＳＰ装置に委託したＷｅｂサイトを管理する委託者コンピュータとからなるシステムであって、
前記ＡＳＰ装置が、
利用者コンピュータから委託者ＩＤとログイン画面要求を受けて委託者用ログイン画面を利用者コンピュータに送達するログイン画面送達手段と、
利用者コンピュータから利用者ＩＤと利用者パスワードを受信し、各利用者の利用者ＩＤと利用者パスワードとが登録された利用者データベースに照らして利用者を認証する利用者認証手段と、
前記委託者コンピュータに認証済みレスポンスを送達するとともに、前記利用者認証手段により認証した利用者の利用者コンピュータに委託者のＷｅｂサイトにリダイレクトさせるように記述されたレスポンスを送達するレスポンス送達手段と、
前記委託者コンピュータからの要求を受けて利用者の個人情報を当該委託者コンピュータに装置に送達する個人情報送達手段とを有し、
前記委託者コンピュータが、
前記ＡＳＰ装置から受信した利用者の個人情報に基づいて利用者コンピュータに送達するＷｅｂページを編集するＷｅｂページ編集手段を有することを特徴とするシステム。
【請求項２】  前記ＡＳＰ装置がさらに、前記委託者コンピュータから個人情報の要求とともに委託者ＩＤと委託者パスワードを受信し、各委託者について委託者ＩＤと委託者パスワードとが登録された委託者データベースに照らして委託者ＩＤと委託者パスワードの正当性を確認する委託者認証手段を有することを特徴とする請求項１に記載のシステム。
【請求項３】  前記個人情報は、全ての委託者に公開を許可する共有個人情報と利用者が利用登録している委託者のみに公開を許可する専用個人情報とからなることを特徴とする請求項１または２に記載のシステム。
【請求項４】  委託を受けたＷｅｂサイトの利用者の認証手続きと利用者の個人情報の管理を行うＡＳＰ装置であって、
利用者コンピュータから委託者ＩＤとログイン画面要求を受けて委託者用ログイン画面を利用者コンピュータに送達するログイン画面送達手段と、
利用者コンピュータから利用者ＩＤと利用者パスワードを受信し、利用者データベースに照らして利用者ＩＤと利用者パスワードの正当性を確認する利用者認証手段と
委託者コンピュータに認証済みレスポンスを送達するとともに、利用者コンピュータに委託者のＷｅｂサイトにリダイレクトさせるように記述されたレスポンスを送達するレスポンス送達手段と、を有することを特徴とするＡＳＰ装置。
【請求項５】  委託者コンピュータとインターネットを通じて接続されたＡＳＰ装置が委託されたＷｅｂサイトの利用者認証手続きと利用者の個人情報の管理を行う方法であって、
前記ＡＳＰ装置が
利用者コンピュータから委託者ＩＤとログイン画面要求を受けて委託者用ログイン画面を利用者コンピュータに送達するログイン画面送達ステップと、
利用者コンピュータから利用者ＩＤと利用者パスワードを受信し、利用者データベースに照らして利用者を認証する利用者認証ステップと
委託者コンピュータに認証済みレスポンスを送達するとともに、前記利用者認証手段により認証した利用者コンピュータに委託者のＷｅｂサイトにリダイレクトさせるように記述されたレスポンスを送達するレスポン送達スステップと、
委託者コンピュータからの要求を受けて利用者の個人情報を委託者コンピュータに装置に送達する個人情報送達ステップと、を実行し、
前記委託者コンピュータが
ＡＳＰ装置から受信した利用者の個人情報に基づいて利用者コンピュータに送達するＷｅｂページを編集するＷｅｂページ編集ステップを実行することを特徴とする方法。
【手続補正３】
【補正対象書類名】明細書
【補正対象項目名】０００１
【補正方法】変更
【補正の内容】
【０００１】
【発明の属する技術分野】
この発明は、Ｗｅｂサイトの利用者の認証手続きと個人情報の管理をＡＳＰ（Application Service Provider）装置により代行するシステム及び方法、並びにそのＡＳＰ装置に関し、特に、利用者の認証手続きにかかる手間を削減するとともに質の良い情報を利用者に提供する技術改良に関する。
【手続補正４】
【補正対象書類名】明細書
【補正対象項目名】０００７
【補正方法】変更
【補正の内容】
【０００７】
本発明は前記従来の課題に鑑みて、複数のＷｅｂサイトで有効なＩＤによって認証手続きを簡略化し、Ｗｅｂサイトの運営者および利用者双方にとって有効な情報を提供するＷｅｂサイトの利用者の認証手続きと個人情報の管理をＡＳＰ装置により代行するシステム及び方法、並びにそのＡＳＰ装置を提供することを目的とする。
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
遊技の進行を制御する主制御手段と、
前記複数のリールの前面に設けられた中部パネル部と、
該中部パネル部に設けられ、所定の画像を表示する画像表示手段と、
前記画像表示手段に表示される画像を制御する画像表示制御手段とを有しており、
前記複数のリールが特定の表示結果となった場合に遊技者にとって有利となるスロットマシンであって、
前記画像表示手段は、
前記中部パネル部に設けられた前記複数のリールの表示領域を囲んで設けられることを特徴とするスロットマシン。
【請求項２】
前記画像表示制御手段は、
通常画像表示状態においては、遊技の進行に係る情報である遊技情報画像及び演出に係る演出画像を前記画像表示手段に表示するように制御しており、
特定画像表示状態においては、前記遊技情報画像を消去し、演出に係る演出画像を前記画像表示手段に表示するように制御することを特徴とする請求項１に記載のスロットマシン。
【請求項３】
前記画像表示制御手段は、
通常画像表示状態においては、遊技の進行に係る情報である遊技情報画像及び演出に係る演出画像を前記画像表示手段に表示するように制御しており、
特定画像表示状態においては、前記遊技情報画像を縮小して表示するとともに、演出に係る演出画像を前記画像表示手段に表示するように制御することを特徴とする請求項１または２に記載のスロットマシン。
【手続補正２】
【補正対象書類名】明細書
【補正対象項目名】０００６
【補正方法】変更
【補正の内容】
【０００６】
上記目的を達成するため、本発明の第１のスロットマシンは、複数種類の図柄を表示した複数のリールと、遊技の進行を制御する主制御手段と、前記複数のリールの前面に設けられた中部パネル部と、該中部パネル部に設けられ、所定の画像を表示する画像表示手段と、前記画像表示手段に表示される画像を制御する画像表示制御手段とを有しており、前記複数のリールが特定の表示結果となった場合に遊技者にとって有利となるスロットマシンであって、前記画像表示手段は、前記中部パネル部に設けられた前記複数のリールの表示領域を囲んで設けられることを特徴とする。
【手続補正３】
【補正対象書類名】明細書
【補正対象項目名】０００７
【補正方法】変更
【補正の内容】
【０００７】
本発明の第２のスロットマシンは、本発明の第１のスロットマシンにおいて、前記画像表示制御手段は、通常画像表示状態においては、遊技の進行に係る情報である遊技情報画像及び演出に係る演出画像を前記画像表示手段に表示するように制御しており、特定画像表示状態においては、前記遊技情報画像を消去し、演出に係る演出画像を前記画像表示手段に表示するように制御することを特徴とする。
【手続補正４】
【補正対象書類名】明細書
【補正対象項目名】０００８
【補正方法】変更
【補正の内容】
【０００８】
本発明の第３のスロットマシンは、本発明の第１または第２のスロットマシンにおいて、前記画像表示制御手段は、通常画像表示状態においては、遊技の進行に係る情報である遊技情報画像及び演出に係る演出画像を前記画像表示手段に表示するように制御しており、特定画像表示状態においては、前記遊技情報画像を縮小して表示するとともに、演出に係る演出画像を前記画像表示手段に表示するように制御することを特徴とする。
【手続補正５】
【補正対象書類名】明細書
【補正対象項目名】０００９
【補正方法】削除
【補正の内容】
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
下顎骨のレントゲン撮影画像を基に骨密度を評価する骨密度評価装置であって、
上記レントゲン撮影画像は上記下顎骨と並んで配置された標本体の画像を含み、
上記標本体の画像の濃淡度を検出する検出手段と、
上記検出手段による検出結果が基準値と一致するように上記レントゲン撮影画像の濃淡度を補正する補正手段と、
上記補正手段によって補正された補正後濃淡度に基づいて上記骨密度を評価する評価手段と、
を具備し、
上記評価手段は上記レントゲン撮影画像のうち特定領域の上記補正後濃淡度に基づいて評価を行い、
上記特定領域は第１小臼歯の周囲の歯槽骨部分に対応する領域を含むこと、
を特徴とする、骨密度評価装置。
【請求項２】
上記検出手段は上記標本体の画像の特定部分の濃淡度を検出する、請求項１に記載の骨密度評価装置。
【請求項３】
上記標本体の画像の濃淡度は該画像の場所によって異なり、
上記検出手段は上記標本体の画像の濃淡度の平均および偏差の一方または両方を検出する、請求項１に記載の骨密度評価装置。
【請求項４】
上記基準値を任意に設定する設定手段をさらに備える、請求項１ないし３のいずれかに記載の骨密度評価装置。
【請求項５】
上記基準値は特定の上記レントゲン撮影画像についての上記検出手段による検出結果に基づいて設定された、請求項１ないし３のいずれかに記載の骨密度評価装置。
【請求項６】
上記評価手段は上記補正後濃淡度をヒストグラムで表示する表示手段を含む、請求項１ないし５のいずれかに記載の骨密度評価装置。
【請求項７】
上記評価手段は上記補正後濃淡度に基づいて上記骨密度の程度を判定する判定手段を含む、請求項１ないし６のいずれかに記載の骨密度評価装置。
【請求項８】
上記評価手段による複数の上記レントゲン撮影画像のそれぞれに係る複数の評価結果を同時に出力する出力手段をさらに備える、請求項１ないし７のいずれかに記載の骨密度評価装置。
【請求項９】
下顎骨のレントゲン撮影画像を基に骨密度を評価する骨密度評価方法であって、
上記レントゲン撮影画像は上記下顎骨と並んで配置された標本体の画像を含み、
上記標本体の画像の濃淡度を検出する検出過程と、
上記検出過程における検出結果が基準値と一致するように上記レントゲン撮影画像の濃淡度を補正する補正過程と、
上記補正過程において補正された補正後濃淡度に基づいて上記骨密度を評価する評価過程と、
を具備し、
上記評価過程においては上記レントゲン撮影画像のうち特定領域の上記補正後濃淡度に基づいて評価を行い、
上記特定領域は第１小臼歯の周囲の歯槽骨部分に対応する領域を含むこと、
を特徴とする、骨密度評価方法。
【手続補正２】
【補正対象書類名】明細書
【補正対象項目名】００１６
【補正方法】変更
【補正の内容】
【００１６】
第２の発明は、第１の発明に対応するいわゆる方法発明である。即ち、下顎骨のレントゲン撮影画像を基に骨密度を評価する骨密度評価方法であって、当該レントゲン撮影画像は下顎骨と並んで配置された標本体の画像を含む。そして、標本体の画像の濃淡度を検出する検出過程と、この検出過程における検出結果に基づいてレントゲン撮影画像の濃淡度を補正する補正過程と、この補正過程において補正された補正後濃淡度に基づいて骨密度を評価する評価過程と、を具備することを特徴とするものである。なお、評価過程においては、レントゲン撮影画像のうち特定領域の補正後濃淡度に基づいて評価を行うようにし、当該特定領域は、第１小臼歯の周囲の歯槽骨部分に対応する領域を含むものとする。
【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
Ｌ−リジンまたはＬ−スレオニン生産能を有するエシェリヒア属細菌であって、リンゴ酸酵素が正常に機能しないように改変されたことを特徴とするエシェリヒア属細菌。
【請求項２】
染色体上のリンゴ酸酵素をコードする遺伝子及び／またはその発現制御領域に変異が導入されたことによりリンゴ酸酵素が正常に機能しないように改変されたことを特徴とする請求項１に記載のエシェリヒア属細菌。
【請求項３】
染色体上のリンゴ酸酵素をコードする遺伝子が破壊されたことによりリンゴ酸酵素が正常に機能しないように改変されたことを特徴とする請求項１または２に記載のエシェリヒア属細菌。
【請求項４】
前記リンゴ酸酵素をコードする遺伝子がsfcAである請求項１〜３のいずれか一項に記載のエシェリヒア属細菌。
【請求項５】
前記リンゴ酸酵素をコードする遺伝子がb2463である請求項１〜３のいずれか一項に記載のエシェリヒア属細菌。
【請求項６】
前記リンゴ酸酵素が、下記（Ａ）または（Ｂ）に記載のタンパク質である請求項１〜３のいずれか一項に記載のエシェリヒア属細菌。
（Ａ）配列番号６に示すアミノ酸配列を有するタンパク質。
（Ｂ）配列番号６に示すアミノ酸配列において、１若しくは数個のアミノ酸の置換、欠失、挿入、または付加を含むアミノ酸配列を有し、かつ、リンゴ酸酵素活性を有するタンパク質。
【請求項７】
前記リンゴ酸酵素が、下記（Ｃ）または（Ｄ）に記載のタンパク質である請求項１〜３のいずれか一項に記載のエシェリヒア属細菌。
（Ｃ）配列番号８に示すアミノ酸配列を有するタンパク質。
（Ｄ）配列番号８に示すアミノ酸配列において、１若しくは数個のアミノ酸の置換、欠失、挿入、または付加を含むアミノ酸配列を有し、かつ、リンゴ酸酵素活性を有するタンパク質。
【請求項８】
前記リンゴ酸酵素をコードする遺伝子が、下記（ａ）または（ｂ）に記載のＤＮＡである請求項１〜３のいずれか一項に記載のエシェリヒア属細菌。
（ａ）配列番号５の塩基配列を含むＤＮＡ、または
（ｂ）配列番号５の塩基配列または同塩基配列から調製され得るプローブとストリンジェントな条件下でハイブリダイズし、かつ、リンゴ酸酵素活性を有するタンパク質をコードするＤＮＡ。
【請求項９】
前記リンゴ酸酵素をコードする遺伝子が、下記（ａ）または（ｂ）に記
載のＤＮＡである請求項１〜３のいずれか一項に記載のエシェリヒア属細菌。
（ａ）配列番号７の塩基配列を含むＤＮＡ、または
（ｂ）配列番号７の塩基配列または同塩基配列から調製され得るプローブとストリンジェントな条件下でハイブリダイズし、かつ、リンゴ酸酵素活性を有するタンパク質をコードするＤＮＡ。
【請求項１０】
請求項１〜９のいずれか一項に記載のエシェリヒア属細菌を培地中で培養し、該培地中にＬ−リジンまたはＬ−スレオニンを生成・蓄積せしめ、Ｌ−リジンまたはＬ−スレオニンを培地から採取することを特徴とする、Ｌ−リジンまたはＬ−スレオニンの製造法。
【手続補正書】
【提出日】平成19年7月25日(2007.7.25)
【手続補正１】
【補正対象書類名】明細書
【補正対象項目名】０００４
【補正方法】変更
【補正の内容】
【０００４】
また、蓋用ヒンジが小側壁上又は頂端壁上に形成されて横断方向短縁に平行である、硬質でヒンジ式蓋付きの紙巻きタバコ小包体も提案されている。市場で広範に流通してはいないが、この構造は消費者に人気があるようである。横断方向短縁に平行な蓋用ヒンジを有する小包体は、例えば米国特許第５９５７２８０号公報、国際公開第９９／３５０５６号パンフレット、米国特許第２８４８１５３号公報、米国特許第３４４６３３８号公報、米国特許第２９４４７２６号明細書及び独国特許出願公開第２９４０４２１号公報に記載されているように公知である。しかしながら、このような小包体は、特別に構成された包装機械でもって製造されなければならず、又は横断方向長縁に平行な蓋用ヒンジを有する硬質の紙巻きタバコ小包体を製造すべく構成された現行の包装機械を大幅に変更する必要がある。
【手続補正２】
【補正対象書類名】明細書
【補正対象項目名】０００８
【補正方法】変更
【補正の内容】
【０００８】
さらに、本発明によれば、請求項２２に記載されるような、タバコ商品のヒンジ式蓋付き硬質パッケージが提供される。
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
遊技球が打ち出される遊技領域を有する遊技盤と、前記遊技盤が内側に取り付けられる枠状の支持部材と、前記支持部材が交換可能に取り付けられる枠状の本体基部とを備え、前記支持部材は、その下部を支点にして上部を前記本体基部に向けて回転させた後に前記本体基部に固定される弾球遊技機において、
前記本体基部に設けられ、前記支持部材の上部を所定位置まで押圧する押し出し部材と、
前記押出部材に係止可能な形状で、かつ前記支持部材の上部に取り付けられた取っ手とを備え、
前記支持部材と前記本体基部との固定を解除し、前記支持部材の上部がその下部を支点にして前記本体基部の前方に押し出された場合に、前記取っ手が前記押出部材により保持されることを特徴とする弾球遊技機。
【請求項２】
前記支持部材と前記本体基部との固定を解除したときに、前記本体基部の前方に変位する押出部材を前記所定位置まで変位させることによって、前記取っ手を把持することが可能となるように前記支持部材を押し出す押出装置を前記本体基部に設け、前記取っ手は前記所定位置まで変位した前記押出部材と係止し、前記支持部材を所定位置で保持することを特徴とする請求項１記載の弾球遊技機。
【請求項３】
前記押出部材を板状に形成するとともに、前記押出部材にその前端が上方に突出した押圧部を設け、
前記取っ手を略コの字形状に形成するとともに、その両脚が前記押出部材を左右方向で跨ぎ、かつ上下方向で変位自在となるように前記支持部材に取り付け、
前記押圧部の前面で前記支持部材を押圧した場合に、前記取っ手は前記押圧部の背面に係止するとともに、この係止状態から上方に引き出されて把持されることを特徴とする請求項１又は２記載の弾球遊技機。
【請求項４】
前記支持部材の下部を前記本体基部に係合させる係合部を、前記本体基部及び前記支持部材の少なくともいずれか一方に設けるとともに、前記本体基部に前記支持部材を固定する固定位置と、前記本体基部と前記支持部材との固定を解除する固定解除位置との間で変位する可動部材を備えた固定装置を、前記本体基部及び前記支持部材の少なくともいずれか一方の前記係合部と異なる端部に設けたことを特徴とする請求項１〜３のいずれかに記載の弾球遊技機。
【手続補正２】
【補正対象書類名】明細書
【補正対象項目名】０００８
【補正方法】変更
【補正の内容】
【０００８】
上記目的を達成するために、本発明の弾球遊技機は、遊技球が打ち出される遊技領域を有する遊技盤と、前記遊技盤が内側に取り付けられる枠状の支持部材と、前記支持部材が交換可能に取り付けられる枠状の本体基部とを備え、前記支持部材は、その下部を支点にして上部を前記本体基部に向けて回転させた後に前記本体基部に固定される弾球遊技機において、前記本体基部に設けられ、前記支持部材の上部を所定位置まで押圧する押し出し部材と、前記押出部材に係止可能な形状で、かつ前記支持部材の上部に取り付けられた取っ手とを備え、前記支持部材と前記本体基部との固定を解除し、前記支持部材の上部がその下部を支点にして前記本体基部の前方に押し出された場合に、前記取っ手が前記押出部材により保持されるものである。
【手続補正３】
【補正対象書類名】明細書
【補正対象項目名】０００９
【補正方法】変更
【補正の内容】
【０００９】
なお、前記支持部材と前記本体基部との固定を解除したときに、前記本体基部の前方に変位する押出部材を前記所定位置まで変位させることによって、前記取っ手を把持することが可能となるように前記支持部材を押し出す押出装置を前記本体基部に設け、前記取っ手は前記所定位置まで変位した前記押出部材と係止し、前記支持部材を所定位置で保持することが好ましい。
【手続補正４】
【補正対象書類名】明細書
【補正対象項目名】００１０
【補正方法】変更
【補正の内容】
【００１０】
また、前記押出部材を板状に形成するとともに、前記押出部材にその前端が上方に突出した押圧部を設け、前記取っ手を略コの字形状に形成するとともに、その両脚が前記押出部材を左右方向で跨ぎ、かつ上下方向で変位自在となるように前記支持部材に取り付け、前記押圧部の前面で前記支持部材を押圧した場合に、前記取っ手は前記押圧部の背面に係止するとともに、この係止状態から上方に引き出されて把持されることが好ましい。
【手続補正５】
【補正対象書類名】明細書
【補正対象項目名】００１１
【補正方法】変更
【補正の内容】
【００１１】
また、前記支持部材の下部を前記本体基部に係合させる係合部を、前記本体基部及び前記支持部材の少なくともいずれか一方に設けるとともに、前記本体基部に前記支持部材を固定する固定位置と、前記本体基部と前記支持部材との固定を解除する固定解除位置との間で変位する可動部材を備えた固定装置を、前記本体基部及び前記支持部材の少なくともいずれか一方の前記係合部と異なる端部に設けることが好ましい。
【手続補正６】
【補正対象書類名】明細書
【補正対象項目名】００１２
【補正方法】変更
【補正の内容】
【００１２】
以上のように、請求項１記載の弾球遊技機では、支持部材を容易に保持することが可能になり、支持部材の本体基部からの取り外し、支持部材の本体基部への取り付け、支持部材の持ち運びなど、支持部材を交換する際の作業を安全かつ作業良く行うことができる。
【手続補正７】
【補正対象書類名】明細書
【補正対象項目名】００１３
【補正方法】変更
【補正の内容】
【００１３】
また、請求項２記載の弾球遊技機では、支持部材を本体基部から取り外す際に、支持部材を引き出す必要がなくなり、支持部材を交換する際の作業を効率良く行うことができる。
【手続補正８】
【補正対象書類名】明細書
【補正対象項目名】００１４
【補正方法】変更
【補正の内容】
【００１４】
また、請求項３記載の弾球遊技機では、取っ手を把持するときに取っ手を変位させれば取っ手を把持しやすくなり、支持部材を交換する際の作業を効率良く行うことができる。
【手続補正９】
【補正対象書類名】明細書
【補正対象項目名】００１５
【補正方法】変更
【補正の内容】
【００１５】
また、請求項４記載の弾球遊技機では、支持部材を本体基部に対して位置決めすることが可能になり、支持部材を交換する際の作業を効率良く行うことができる。
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
遊技球が打ち出される遊技領域を有する遊技盤と、前記遊技盤が内側に取り付けられる枠状の支持部材と、前記支持部材が交換可能に取り付けられる枠状の本体基部とを備えた弾球遊技機において、
前記本体基部に設けられ、前記支持部材の上部を所定位置まで押圧する押し出し部材と、
前記押出部材に係止可能な形状で、かつ前記支持部材の上部に取り付けられた取っ手と、
前記支持部材の背面側の下端縁から下方に突出する略板状の係合部材と、
前記本体基部の背面側に形成され、前記支持部材を前記本体基部に取り付けたときに前記係合部材の前面と当接する係合部材接合部とを備え、
前記支持部材と前記本体基部との固定を解除すると、前記支持部材の上部が前記係合部材と前記係合部材接合部との係合部分を支点として前記本体基部の前方に押し出され、前記取っ手と前記押出部材とにより前記支持部材が前記本体基部に保持されることを特徴とする弾球遊技機。
【請求項２】
前記押出部材を板状に形成するとともに、前記押出部材にその前端が上方に突出した押圧部を設け、
前記取っ手を略コの字形状に形成するとともに、その両脚が前記押出部材を左右方向で跨ぎ、かつ上下方向で変位自在となるように前記支持部材に取り付け、
前記押圧部材は前記押圧部の前面で前記支持部材を押圧し、かつ前記取っ手は前記押圧部の背面に係合されて係止するとともに、この係止状態から上方に引き出されて把持されることを特徴とする請求項１記載の弾球遊技機。
【請求項３】
前記本体基部に前記支持部材を固定する固定位置と、前記本体基部と前記支持部材との固定を解除する固定解除位置との間で変位する可動部材を備えた固定装置を、前記本体基部及び前記支持部材の少なくともいずれか一方の前記係合部と異なる端部に設けたことを特徴とする請求項１又は２に記載の弾球遊技機。
【手続補正２】
【補正対象書類名】明細書
【補正対象項目名】０００８
【補正方法】変更
【補正の内容】
【０００８】
上記目的を達成するために、本発明の弾球遊技機は、遊技球が打ち出される遊技領域を有する遊技盤と、前記遊技盤が内側に取り付けられる枠状の支持部材と、前記支持部材が交換可能に取り付けられる枠状の本体基部とを備えた弾球遊技機において、前記本体基部に設けられ、前記支持部材の上部を所定位置まで押圧する押し出し部材と、前記押出部材に係止可能な形状で、かつ前記支持部材の上部に取り付けられた取っ手と、前記支持部材の背面側の下端縁から下方に突出する略板状の係合部材と、前記本体基部の背面側に形成され、前記支持部材を前記本体基部に取り付けたときに前記係合部材の前面と当接する係合部材接合部とを備え、前記支持部材と前記本体基部との固定を解除すると、前記支持部材の上部が前記係合部材と前記係合部材接合部との係合部分を支点として前記本体基部の前方に押し出され、前記取っ手と前記押出部材とにより前記支持部材が前記本体基部に保持されるものである。
【手続補正３】
【補正対象書類名】明細書
【補正対象項目名】００１０
【補正方法】変更
【補正の内容】
【００１０】
また、前記押出部材を板状に形成するとともに、前記押出部材にその前端が上方に突出した押圧部を設け、前記取っ手を略コの字形状に形成するとともに、その両脚が前記押出部材を左右方向で跨ぎ、かつ上下方向で変位自在となるように前記支持部材に取り付け、前記押圧部材は前記押圧部の前面で前記支持部材を押圧し、かつ前記取っ手は前記押圧部の背面に係合されて係止するとともに、この係止状態から上方に引き出されて把持されることが好ましい。
【手続補正４】
【補正対象書類名】明細書
【補正対象項目名】００１１
【補正方法】変更
【補正の内容】
【００１１】
また、前記本体基部に前記支持部材を固定する固定位置と、前記本体基部と前記支持部材との固定を解除する固定解除位置との間で変位する可動部材を備えた固定装置を、前記本体基部及び前記支持部材の少なくともいずれか一方の前記係合部と異なる端部に設けることが好ましい。
【手続補正５】
【補正対象書類名】明細書
【補正対象項目名】００１２
【補正方法】変更
【補正の内容】
【００１２】
以上のように、請求項１記載の弾球遊技機では、支持部材と本体基部との間から手を挿入することによって、支持部材を本体基部から引き出すことが可能になり、これにより、支持部材を本体基部から取り外すときに把持する部分を設けるスペースを設けることなく、支持部材を交換する際の作業を効率良く行うことができる。
【手続補正６】
【補正対象書類名】明細書
【補正対象項目名】００１３
【補正方法】変更
【補正の内容】
【００１３】
また、請求項１記載の弾球遊技機では、支持部材を本体基部から取り外す際に支持部材を一旦保持させることが可能になり、支持部材を交換する際の作業を安全に行うことができる。
【手続補正７】
【補正対象書類名】明細書
【補正対象項目名】００１４
【補正方法】変更
【補正の内容】
【００１４】
また、請求項２記載の弾球遊技機では、支持部材と本体基部との固定を解除した状態で支持部材を本体基部に一旦保持させた後に、取っ手を変位させることによって支持部材を本体基部から取り外すことが可能な状態となり、支持部材を交換する際の作業を段階的に行うようにして作業を安全に行うことができる。
【手続補正８】
【補正対象書類名】明細書
【補正対象項目名】００１５
【補正方法】変更
【補正の内容】
【００１５】
また、請求項１記載の弾球遊技機では、支持部材を、係合部材による係合部分を支点にして回転させながら本体基部に固定することが可能になり、支持部材の重量が作業者に負荷されることを防止できる。これにより、支持部材を落下させることによる前記支持部材の破損、作業者の怪我を防止することができる。
【手続補正書】
【提出日】平成19年8月24日(2007.8.24)
【手続補正１】
【補正対象書類名】明細書
【補正対象項目名】０００３
【補正方法】変更
【補正の内容】
【０００３】
樹脂製の燃料タンクを車体に取り付ける従来の技術として、帯状のバンド部材を燃料タンクの表面に緊張力が生ずるように掛け渡すことで燃料タンクを車体に押し付け固定する方法が挙げられる。しかし、この方法ではバンド部材を別途要することになるので、部品点数の増加や重量増加の問題につながり、燃料タンク周りのスペースとしてバンド部材の配置スペースも確保しなければならない。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
面積率で５０〜９０％のＦｅ2 Ｂ系鉄基硼化物と１０〜５０％のｂｃｃおよび／またはｆｃｃの鉄基固溶体よりなる、Ｂ：５〜８質量％を含むことを特徴とする鉄基高硬度ショット材。
【請求項２】
Ｆｅ2 Ｂ系鉄基硼化物をｂｃｃおよび／またはｆｃｃの鉄基固溶体が取り囲んだミクロ組織、またはＦｅ2 Ｂ系鉄基硼化物をｂｃｃおよび／またはｆｃｃの鉄基固溶体とＦｅ2 Ｂ系鉄基硼化物の共晶物が取り囲んだミクロ組織を有することを特徴とする請求項１に記載の鉄基高硬度ショット材。
【請求項３】
Ｃｒ：２５質量％以下を含むことを特徴とする請求項１または２に記載の鉄基高硬度ショット材。
【請求項４】
アトマイズ法または急冷リボン粉砕法により製造したことを特徴とする請求項１〜３のいずれか１項に記載の鉄基高硬度ショット材の製造方法。
【手続補正２】
【補正対象書類名】明細書
【補正対象項目名】発明の名称
【補正方法】変更
【補正の内容】
【発明の名称】鉄基高硬度ショット材およびその製造方法
【手続補正３】
【補正対象書類名】明細書
【補正対象項目名】０００１
【補正方法】変更
【補正の内容】
【０００１】
本発明は、高硬度、高靱性で安価な鉄基高硬度ショット材およびその製造方法に関するものである。
【手続補正４】
【補正対象書類名】明細書
【補正対象項目名】０００８
【補正方法】変更
【補正の内容】
【０００８】
その発明の要旨とするところは、
（１）面積率で５０〜９０％のＦｅ2 Ｂ系鉄基硼化物と１０〜５０％のｂｃｃおよび／またはｆｃｃの鉄基固溶体よりなる、Ｂ：５〜８質量％を含むことを特徴とする鉄基高硬度ショット材。
（２）Ｆｅ2 Ｂ系鉄基硼化物をｂｃｃおよび／またはｆｃｃの鉄基固溶体が取り囲んだミクロ組織、またはＦｅ2 Ｂ系鉄基硼化物をｂｃｃおよび／またはｆｃｃの鉄基固溶体とＦｅ2 Ｂ系鉄基硼化物の共晶物が取り囲んだミクロ組織を有することを特徴とする前記（１）に記載の鉄基高硬度ショット材。
（３）Ｃｒ：２５質量％以下を含むことを特徴とする前記（１）または（２）に記載の鉄基高硬度ショット材。
（４）アトマイズ法または急冷リボン粉砕法により製造したことを特徴とする前記（１）〜（３）のいずれか１項に記載の鉄基高硬度ショット材の製造方法にある。
【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
開口部内部に形成された雌雄ジッパーでジッパーパックを密閉させる方法において、
前記雌雄ジッパーを結合した後に、結合されたジッパー部分を折り畳み、その外面に管体を、該管体の切欠部にパックを通すようにして嵌め付けて前記ジッパーパックが密閉されるようにすることを特徴とするパック密閉方法。
【請求項２】
パックを密閉する方法において、
パック(８)の内部側面または外部側面に、フレキシブルであって断面形状が三角形の棒体(１４)を接合固定し、前記棒体(１４)を取り囲むようにパック(８)の一部を折り畳んだ後に、その外面に、フレキシブルであって断面形状が円形の管体(１６)を、該管体(１６)の切欠部(２０)にパック(８)を通し、かつ、棒体(１４)の一側の角部(１４ｃ')が切欠部(２０)に挿入されるようにして嵌め付けてパック(８)が密閉されるようにすることを特徴とするパック密閉方法。
【請求項３】
開口部内部に雌雄ジッパーが形成されたジッパーパックと、切り欠き部分を有する管体とからなり、該管体の切欠部にパックを通すようにして嵌め付けることで前記ジッパーパックを密閉可能であることを特徴とするパック密閉方法。
【請求項４】
棒体外部に位置する管体と、パックが結合されるように前記棒体と管体との間に沿って形成される押止空間と、管体の長手方向に形成される切欠部と、棒体の先端部に形成される傾斜誘導部と、から構成されたパック密閉装置において、
管体(１６)は、フレキシブルであって断面形状が円形であり、前記棒体(１４)に着脱可能に構成されており、棒体(１４)は、フレキシブルであって断面形状が三角形であり、密閉対象のパック(８)の外部面または内部面に予め接合固定されており、管体(１６)がが嵌め付けられた状態で、一側の角部(１４ｃ')が切欠部(２０)に挿入されることを特徴とするパック密閉装置。
【請求項５】
管体(１６)の内部先端部には、先端に行くほど内径が緩やかに拡張される傾斜誘導部(１６ａ)が形成されていることを特徴とする請求項３または４に記載のパック密閉装置。
【請求項６】
棒体(１４)に凹溝(２７)が狭い間隔で形成されたことを特徴とする請求項３〜５のいずれかに記載のパック密閉装置。
【請求項７】
棒体(１４)の両側端部に厚さが減少した平面部(１４ｎ)が形成されたことを特徴とする請求項３〜６のいずれかに記載のパック密閉装置。
【請求項８】
棒体は、密閉対象パックの隅部外面に傾斜するように接合固定され、管体は前記棒体に着脱可能に構成されたことを特徴とする請求項３〜６のいずれかに記載のパック密閉装置。
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
物品が載置されるパレットと、該パレットに載置された物品の上方を覆う天板と、前記パレットに載置された物品を取り囲むことができる位置に該パレットに着脱可能に取付けられて前記天板を支持する複数の支持部材とを具備する物品運搬保管装置において、
前記物品運搬保管装置を上下に重ねたとき、下側に位置する物品運搬保管装置の天板と、その上側に位置する物品運搬保管装置のパレットとの間に、荷役装置を挿入できる空間が形成されるように、当該天板とパレットが構成され、前記荷役装置を前記空間に挿入するときに目視できるパレット部分と天板部分とが互いに異なる色を有していることを特徴とする物品運搬保管装置。
【請求項２】
前記天板は、物品運搬保管装置を上下に重ねるとき、上側の物品運搬保管装置のパレットを下側の物品運搬保管装置の天板に対する所定の載置位置へ向けて案内するガイド面を備えたガイド手段を有し、該ガイド面と、当該ガイド面に案内されるパレット部分の近傍の部分とが互いに異なる色を有している請求項１に記載の物品運搬保管装置。
【請求項３】
前記複数の支持部材が前記パレットの色と同じ色か、又は天板の色と同じ色を有している請求項１又は２に記載の物品運搬保管装置。
【請求項４】
前記複数の支持部材は、該支持部材をパレットから取外した状態で折り畳み可能な支持部材ユニットを構成しており、該支持部材ユニットが、前記パレットの色と同じ色か、又は天板の色と同じ色を有している請求項１又は２に記載の物品運搬保管装置。
【手続補正２】
【補正対象書類名】明細書
【補正対象項目名】０００４
【補正方法】変更
【補正の内容】
【０００４】
本発明は、上記目的を達成するため、冒頭に記載した形式の物品運搬保管装置において、前記物品運搬保管装置を上下に重ねたとき、下側に位置する物品運搬保管装置の天板と、その上側に位置する物品運搬保管装置のパレットとの間に、荷役装置を挿入できる空間が形成されるように、当該天板とパレットが構成され、前記荷役装置を前記空間に挿入するときに目視できるパレット部分と天板部分とが互いに異なる色を有していることを特徴とする物品運搬保管装置を提案する（請求項１）。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
また、上記請求項１に記載の物品運搬保管装置において、前記天板は、物品運搬保管装置を上下に重ねるとき、上側の物品運搬保管装置のパレットを下側の物品運搬保管装置の天板に対する所定の載置位置へ向けて案内するガイド面を備えたガイド手段を有し、該ガイド面と、当該ガイド面に案内されるパレット部分の近傍の部分とが互いに異なる色を有していると有利である（請求項２）。
【手続補正５】
【補正対象書類名】明細書
【補正対象項目名】０００７
【補正方法】変更
【補正の内容】
【０００７】
さらに、上記請求項１又は２に記載の物品運搬保管装置において、前記複数の支持部材が前記パレットの色と同じ色か、又は天板の色と同じ色を有していると有利である（請求項３）。
【手続補正６】
【補正対象書類名】明細書
【補正対象項目名】０００８
【補正方法】変更
【補正の内容】
【０００８】
また、上記請求項１又は２に記載の物品運搬保管装置において、前記複数の支持部材は、該支持部材をパレットから取外した状態で折り畳み可能な支持部材ユニットを構成しており、該支持部材ユニットが、前記パレットの色と同じ色か、又は天板の色と同じ色を有していると有利である（請求項４）。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
請求項１に係る発明によれば、複数の物品運搬保管装置を上下に重ねたとき、下側に位置する物品運搬保管装置の天板と、その上側に位置する物品運搬保管装置のパレットとの間の空間を、目視にて正確に確認できるので、その空間に正しく荷役装置を挿入することができる。
【手続補正１０】
【補正対象書類名】明細書
【補正対象項目名】００１２
【補正方法】変更
【補正の内容】
【００１２】
請求項２に係る発明によれば、上側の物品運搬保管装置を下側の物品運搬保管装置の上部に載せるとき、極めて容易にその上側の物品運搬保管装置を下側の物品運搬保管装置に載置することができると共に、そのガイド面と、これにより案内されるパレット部分を目視にて正しく確認しながら、容易かつ正確に上側の物品運搬保管装置を下側の物品運搬保管装置に載せることができる。
【手続補正１１】
【補正対象書類名】明細書
【補正対象項目名】００１３
【補正方法】変更
【補正の内容】
【００１３】
請求項３に係る発明によれば、支持部材が組み付けられるべきでないパレットに、その支持部材が組み付けられる不具合を阻止できる。
【手続補正１２】
【補正対象書類名】明細書
【補正対象項目名】００１４
【補正方法】変更
【補正の内容】
【００１４】
請求項４に係る発明によれば、支持部材ユニットが組み付けられるべきでないパレットに、その支持部材ユニットが組み付けられる不具合を阻止できる。
【手続補正１３】
【補正対象書類名】明細書
【補正対象項目名】００１５
【補正方法】削除
【補正の内容】
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
グルコシノレートを前駆体とする辛味成分を含有しないワサビの含水溶媒抽出物を有効成分とする脂肪蓄積抑制用組成物を、前駆脂肪細胞の分化抑制作用または脂肪分解作用を発揮する有効量含む食品。
【請求項２】
グルコシノレートを前駆体とする辛味成分が、アリルイソチオシアネート、ｎ−ブチルイソチオシアネート、３−ブテニルイソチオシアネート、４−ペンテニルイソチオシアネート、５−ヘキセニルイソチオシアネート、ω―メチルチオアルキルイソチオシアネートおよびω−メチルスルフィニルアルキルイソチオシアネートである、請求項１に記載する食品。
【請求項３】
ワサビの含水溶媒抽出物に含まれる分子量３０００以下の画分を有効成分とする請求項１または２に記載する食品。
【請求項４】
飲料、サプリメントまたはガムの形態を有する請求項１乃至３のいずれかに記載する食品。
【請求項５】
ワサビの植物体を１００℃以上の高温条件で熱水抽出する工程を有する、請求項１に記載する脂肪蓄積抑制用組成物を調製する方法。
【請求項６】
さらに、上記で得られるワサビの熱水抽出物から分子量３０００以下の画分を分画取得する工程を有する、請求項５に記載する調製方法。
【請求項７】
ワサビの植物体が、ワサビの根茎、葉柄及び葉から選択される少なくとも１つである、請求項５または６に記載する調製方法。
【手続補正書】
【提出日】平成18年11月24日(2006.11.24)
【手続補正１】
【補正対象書類名】明細書
【補正対象項目名】００５８
【補正方法】変更
【補正の内容】
【００５８】
次に、本実施の形態における紙製容器が積み重ねられた状態を、図５に基づき説明する。本実施の形態における紙製容器が積み重ねられると、下段における紙製容器の第１つめ部２ｂが上段における紙製容器の凹部２ａに嵌入され、下段における紙製容器の第２つめ部３ｂが上段における紙製容器の凹部３ａに嵌入される。また、第２つめ部３ｂの上縁から凹部３ａの上縁までの間には窪みが形成されている。第１つめ部２ｂ及び第２つめ部３ｂが凹部２ａ及び３ａとそれぞれ凹凸係合することから、紙製容器を多段に積み重ねてもずれが生じない。また、積み重ねられた紙製容器を運送するに当たっては、多段に積み重ねた後の最上部の紙製容器に第１つめ部２ｂ及び第２つめ部３ｂの内側に収まる平板状の蓋をし、全体をバンドで縛るのみで荷崩れすることなく運送することが可能である。
【手続補正２】
【補正対象書類名】図面
【補正対象項目名】図１
【補正方法】変更
【補正の内容】
【図１】
2001171648.tif 000001
【手続補正３】
【補正対象書類名】図面
【補正対象項目名】図５
【補正方法】変更
【補正の内容】
【図５】
2001171648.tif 000002
【手続補正４】
【補正対象書類名】図面
【補正対象項目名】図８
【補正方法】変更
【補正の内容】
【図８】
2001171648.tif 000003
【手続補正５】
【補正対象書類名】図面
【補正対象項目名】図９
【補正方法】変更
【補正の内容】
【図９】
2001171648.tif 000004
【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】    【請求項１】フッ素置換オレフィン重合体とアクリル重合体を含む混合物の保護層を含み、且つ、該保護層は、弾性モジュラス約２０７ＭＰａ未満の、実質的に弗素ポリマーを含まない耐衝撃性重合体を含む緩衝層に堅固に接合した多層フィルムであって、前記保護層とは反対側で前記緩衝層に接合され、フッ素置換オレフィン重合体とアクリル重合体を含む混合物を含む熱接着性層を更に含むことを特徴とする多層フィルム。    【請求項２】耐衝撃性重合体がＡＳＴＭＤ−２５６による測定で少なくとも約３０Ｊ／ｍの耐衝撃性を持つ請求項１記載の多層フィルム。    【請求項３】フッ素置換オレフィン重合体が、弗化ビニリデン，弗化ビニル，テトラフルオロエチレン、ヘキサフルオロプロピレン、トリフルオロエチレン、クロロトリフルオロエチレン、エチレン‐クロロトリフルオロエチレン、及び、それらの混合物からなる群から選択された単量体の弗素重合体、もしくは、かかる弗素重合体の混合物である請求項２記載の多層フィルム。    【請求項４】耐衝撃性重合体が、耐衝撃変性されたアクリル重合体、ポリ（エチレン−酢酸ビニル）、メタロセン触媒によるポリ‐オレフィン、及び、それらの混合物からなる群から選択された熱可塑性の重合体である請求項３記載の多層フィルム。    【請求項５】保護層が、約４５〜９５重量部のフッ素置換オレフィン重合体及び、約５〜５５重量部の次の式（Ｉ）の重合単位を含むアクリル重合体を含む混合物である請求項４記載の多層フィルム。    【化１】2001171055.tif 000001
但し、Ｘは水素、炭素数１〜４のアルキル基；Ｒは、炭素数１〜４のアルキル基、グリシジル基、または、炭素数１〜４のヒドロキシアルキル基であり、重量部はすべて、層中の全重合体成分１００重量部に基づく。    【請求項６】耐衝撃変性されたアクリル重合体が、第１組成の芯（コア）と芯を囲む第２組成の殻（シェル）を有する粒子の溶融混合物として存在し、両組成の内の一つは、エチレンとアクリル酸、メタクリル酸、及び、それらの混合物からなる群から選択されたカルボキシル基をもつ化合物との共重合体を含み、両組成の内、他方は、エラストマーである請求項４記載の多層フィルム。    【請求項７】耐衝撃性重合体が本質的にポリ（エチレン−酢酸ビニル）からなる請求項４記載の多層フィルム。    【請求項８】耐衝撃性重合体が、本質的にメタロセン触媒によるポリ‐オレフィン単独重合体、共重合体、または、それらの混合物からなる請求項４記載の多層フィルム。    【請求項９】メタロセン触媒によるポリ‐オレフィンがポリエチレン単独重合体、共重合体、または、それらの混合物である請求項８記載の多層フィルム。    【請求項１０】少なくとも１つの層が更に紫外線吸収剤を、約０．１〜１０重量部を含む請求項１記載の多層フィルム。    【請求項１１】熱接着性層が接着用プライマーを持たない請求項１記載の多層フィルム。    【請求項１２】保護層、緩衝層、及び、熱接着性層、総てが、光学的に透明である請求項１記載の多層フィルム。    【請求項１３】熱接着性層が保護層と同一の組成を持っている請求項１記載の多層フィルム。    【請求項１４】装飾面を持つ支持体、フッ素置換オレフィン重合体とアクリル重合体を含む混合物の保護層と、該保護層に堅固に接合され、弾性モジュラス約２０７ＭＰａ未満の、実質的に弗素ポリマーを含まない耐衝撃性重合体を含む緩衝層、及び、緩衝層と該支持体間を接合し、フッ素置換オレフィン重合体とアクリル重合体の混合物を含む熱接着性層を含む耐候、耐汚染性複合構造物。    【請求項１５】その構造物がＡＳＴＭＤ−３６７９による測定で少なくとも約６．８Ｎ・ｍの耐衝撃性を持つ請求項１４記載の耐候、耐汚染性複合構造構造物。    【請求項１６】その支持体が乗物のボディパネル、建物の下見板、窓周り、居住空間の内壁、及び、看板（サインボード）の中から選択された堅い構造物である請求項１５記載の耐候、耐汚染性複合構造物。    【請求項１７】その支持体が、布，カーテン、及び、日よけの中から選択された柔軟な構造物である請求項１５記載の耐候、耐汚染性複合構造物。
【手続補正書】
【提出日】平成19年9月13日(2007.9.13)
【手続補正１】
【補正対象書類名】明細書
【補正対象項目名】特許請求の範囲
【補正方法】変更
【補正の内容】
【特許請求の範囲】
【請求項１】  輪転印刷機の版胴に版の後縁を締め付ける装置であって、版胴の軸方向に延びている胴通路内に配置されているねじり軸を備え、このねじり軸上に複数の締め付けエレメントが、ねじり軸に対して相対的に不動に固定されており、これらの締め付けエレメントは版を締め付けるための複数の保持エレメントと協働し、かつ版胴の両側に、版の軸方向での伸長を可能にするための調節手段が設けられている形式のものにおいて、
前記ねじり軸（２９，３０）が２分されて構成されており、かつ前記調節軸がそれぞれ他の調節軸と無関係に軸方向でしゅう動可能にねじり軸に取り付けられていることを特徴とする、輪転印刷機の版胴に版の後縁を締め付ける装置。
【請求項２】  前記調節手段が中空ねじ（３８）であることを特徴とする、請求項１記載の装置。
【請求項３】  前記調節手段（３８）とねじり軸（２９，３０）との間にそれぞれ皿ばね（４３）が配置されていることを特徴とする、請求項１記載の装置。
【請求項４】  前記中空ねじ（３８）が、ねじり軸（２９，３０）を無接触で受容するための貫通孔（３９）を有していることを特徴とする、請求項２記載の装置。
【請求項５】  前記中空ねじ（３８）が、版胴の胴側壁（２６；２７）のねじ孔（４２）と協働する外ねじ山（４１）を有していることを特徴とする、請求項２記載の装置。
【請求項６】  前記ねじり軸（２９，３０）が転がり軸受（３２，３３，３４．３７，４４）内で回転可能にかつ軸方向にしゅう動可能に軸受されていることを特徴とする、請求項１から５までのいずれか１項記載の装置。
【手続補正２】
【補正対象書類名】明細書
【補正対象項目名】０００１
【補正方法】変更
【補正の内容】
【０００１】
【発明の属する技術分野】
本発明は、輪転印刷機の版胴に版の後縁を締め付ける装置であって、版胴の軸方向に延びている胴通路内に配置されているねじり軸を備え、その際このねじり軸上に複数の締め付けエレメントが、ねじり軸に対して相対的に不動に固定されており、これらの締め付けエレメントは版を締め付けるための複数の保持エレメントと協働し、かつ版の締め付けを可能にし、かつ、ねじり軸に調節手段が設けられており、該調節手段は胴側壁に支えられていて、かつ版の軸方向での伸長を可能にし、その際ねじり軸は胴中央において支持軸受内で回転可能に軸受されている形式のものに関する。